(57)【要約】【課題】全館空調システムにおいて所定の部屋が湿潤又は乾燥状態になることを抑制できる空気制御システムを提供する。【解決手段】空気制御システム１は、給気ダクト１２を介して複数の部屋１００間で空気を循環させる送風部１０と、送風部１０が循環させる空気を加湿するための加湿部３０と、前記複数の部屋１００それぞれの湿度を検知する湿度検知部４０と、湿度検知部４０が検知した複数の部屋１００の湿度に応じて、送風部１０の循環風量及び加湿部３０の加湿量の少なくとも一方を制御して複数の部屋１００の湿度を調整する制御部５０と、を備える。【選択図】図２
2017101861.tif 000002
【特許請求の範囲】
【請求項１】
給気ダクトを介して複数の部屋間で空気を循環させる送風部と、
前記送風部が循環させる空気を加湿するための加湿部と、
前記複数の部屋それぞれの湿度を検知する湿度検知部と、
前記湿度検知部が検知した前記複数の部屋の湿度に応じて、前記送風部の循環風量及び前記加湿部の加湿量の少なくとも一方を制御して前記複数の部屋の湿度を調整する制御部と、を備える
空気制御システム。
【請求項２】
前記制御部は、前記複数の部屋のうちの所定の部屋における湿度が第１範囲の上限を上回った場合に、
（ａ）前記複数の部屋のうちの前記所定の部屋以外の少なくとも１つの部屋における湿度が前記第１範囲の下限を下回っているとき、前記循環風量を増やし、
（ｂ）前記複数の部屋のうちの前記所定の部屋以外の部屋における湿度が前記第１範囲の下限を下回っていないとき、前記加湿量を減らす
請求項１に記載の空気制御システム。
【請求項３】
さらに、前記複数の部屋のそれぞれにおける人の在及び不在を検知する人検知部を備え、
前記制御部は、
前記複数の部屋のうちの前記所定の部屋以外の少なくとも１つの部屋で前記人検知部が人を検知し、かつ、当該部屋における湿度が前記第１範囲の下限を下回っている場合、前記循環風量を増やし、
前記複数の部屋のうちの前記所定の部屋以外の部屋で前記人検知部が人を検知していない場合、前記加湿量を減らす
請求項２に記載の空気制御システム。
【請求項４】
前記制御部は、前記所定の部屋における湿度が前記第１範囲の上限を上回った場合に前記循環風量を増やした後、前記所定の部屋における湿度が前記第１範囲を含み当該第１範囲よりも範囲が広い第２範囲の上限を上回っているとき、前記加湿量を減らす
請求項２又は３に記載の空気制御システム。
【請求項５】
さらに、前記送風部が循環させる空気を除湿するための除湿部を備え、
前記制御部は、前記加湿量を減らした後、前記所定の部屋における湿度が前記第１範囲を含み第１範囲よりも範囲が広い第２範囲の上限を上回っているとき、前記除湿部に除湿させる
請求項２〜４のいずれか１項に記載の空気制御システム。
【請求項６】
前記制御部は、前記複数の部屋のうちの所定の部屋における湿度が第１範囲の下限を下回った場合に、
（ｃ）前記複数の部屋のうちの所定の部屋以外の少なくとも１つの部屋における湿度が前記第１範囲の上限を上回っているとき、前記循環風量を増やし、
（ｄ）前記複数の部屋のうちの前記所定の部屋以外の部屋における湿度が前記第１範囲の上限を上回っていないとき、加湿量を増やす
請求項１〜５のいずれか１項に記載の空気制御システム。
【請求項７】
さらに、前記複数の部屋のそれぞれにおける人の在及び不在を検知する人検知部を備え、
前記制御部は、
前記複数の部屋のうちの前記所定の部屋以外の少なくとも１つの部屋で前記人検知部が人を検知し、かつ、当該部屋における湿度が前記第１範囲の上限を上回っている場合、前記循環風量を増やし、
前記複数の部屋のうちの前記所定の部屋以外の部屋で前記人検知部が人を検知していない場合、前記加湿量を増やす
請求項６に記載の空気制御システム。
【請求項８】
前記制御部は、前記所定の部屋における湿度が前記第１範囲の下限を下回った場合に前記循環風量を増やした後、前記所定の部屋における湿度が前記第１範囲を含み当該第１範囲よりも範囲が広い第２範囲の下限を下回っているとき、前記加湿量を増やす
請求項６又は７に記載の空気制御システム。
【請求項９】
給気ダクトを介して複数の部屋間で空気を循環させる送風部と、前記送風部が循環させる空気を加湿するための加湿部と、前記複数の部屋それぞれの湿度を検知する湿度検知部と、を備える空気制御システムの動作を制御する空気制御方法であって、
前記湿度検知部が検知した前記複数の部屋の湿度に応じて、前記送風部の循環風量及び前記加湿部の加湿量の少なくとも一方を制御して前記複数の部屋の湿度を調整する
空気制御方法。
【請求項１０】
給気ダクトを介して複数の部屋間で空気を循環させる送風部と、前記送風部が循環させる空気を加湿するための加湿部と、を制御する空気制御装置であって、
前記複数の部屋それぞれの湿度を検知する湿度検知部が検知した湿度に応じて、前記送風部の循環風量及び前記加湿部の加湿量の少なくとも一方を制御して前記複数の部屋の湿度を調整する制御部を備える
空気制御装置。
【発明の詳細な説明】
【技術分野】
【０００１】
本発明は、給気（ＳＡ：Ｓｕｐｐｌｙ  Ａｉｒ）ダクトを介して複数の部屋間で循環する空気を制御する空気制御システム、空気制御方法及び空気制御装置に関する。
【背景技術】
【０００２】
従来、温度調整部（例えばエアコン）及び湿度調整部（例えば加湿器若しくは除湿器、又は加湿機能と除湿機能とを切り替えて動作できる装置）で温湿度を調整した空気を、給気ダクトを介して住宅内の複数の部屋間で循環させる全館空調システムというものがある。全館空調システムでは、各部屋に設置された温度検知部が検知する温度情報に基づいて複数の部屋間を循環する循環風量を制御することで各部屋の涼しさ又は暖かさが調整される。特許文献１には、このような空気制御システムに関する技術が記載されている。
【先行技術文献】
【特許文献】
【０００３】
【特許文献１】特許第５３７５７８６号公報
【発明の概要】
【発明が解決しようとする課題】
【０００４】
しかしながら、各部屋に設置された温度検知部が検知する温度情報に基づいて複数の部屋間を循環する循環風量を制御することで各部屋の涼しさ又は暖かさが調整される場合、部屋の湿度が極端に湿潤状態（例えば８０％ＲＨ以上）になったり、乾燥状態（例えば３０％ＲＨ以下）になったりする。例えば人が長時間過ごすリビング等が湿潤又は乾燥状態になると人を不健康な状態にしてしまう恐れがある。
【０００５】
そこで、本発明は、全館空調システムにおいて部屋が湿潤又は乾燥状態になることを抑制できる空気制御システム、空気制御方法及び空気制御装置を提供することを目的とする。
【課題を解決するための手段】
【０００６】
本発明の一態様に係る空気制御システムは、給気ダクトを介して複数の部屋間で空気を循環させる送風部と、前記送風部が循環させる空気を加湿するための加湿部と、前記複数の部屋それぞれの湿度を検知する湿度検知部と、前記湿度検知部が検知した前記複数の部屋の湿度に応じて、前記送風部の循環風量及び前記加湿部の加湿量の少なくとも一方を制御して前記複数の部屋の湿度を調整する制御部と、を備える。
【０００７】
本発明の一態様に係る空気制御方法は、給気ダクトを介して複数の部屋間で空気を循環させる送風部と、前記送風部が循環させる空気を加湿するための加湿部と、前記複数の部屋それぞれの湿度を検知する湿度検知部と、を備える空気制御システムの動作を制御する空気制御方法であって、前記湿度検知部が検知した前記複数の部屋の湿度に応じて、前記送風部の循環風量及び前記加湿部の加湿量の少なくとも一方を制御して前記複数の部屋の湿度を調整する。
【０００８】
本発明の一態様に係る空気制御装置は、給気ダクトを介して複数の部屋間で空気を循環させる送風部と、前記送風部が循環させる空気を加湿するための加湿部と、を制御する空気制御装置であって、前記複数の部屋それぞれの湿度を検知する湿度検知部が検知した湿度に応じて、前記送風部の循環風量及び前記加湿部の加湿量の少なくとも一方を制御して前記複数の部屋の湿度を調整する制御部を備える。
【発明の効果】
【０００９】
本発明の一態様に係る空気制御システム、空気制御方法及び空気制御装置によれば、全館空調システムにおいて部屋が湿潤又は乾燥状態になることを抑制できる。
【図面の簡単な説明】
【００１０】
【図１】図１は、実施の形態１に係る空気制御システムの一例を示す構成図である。
【図２】図２は、実施の形態１に係る空気制御システムの設置例を示す図である。
【図３】図３は、湿度の適正範囲及び許容範囲の一例を示す図である。
【図４】図４は、実施の形態１に係る制御部の動作の一例を示すフローチャートである。
【図５】図５は、実施の形態１の変形例に係る制御部の動作の一例を示すフローチャートである。
【図６】図６は、実施の形態２に係る制御部の動作の一例を示すフローチャートである。
【図７】図７は、実施の形態２の変形例に係る制御部の動作の一例を示すフローチャートである。
【発明を実施するための形態】
【００１１】
以下では、本発明の実施の形態に係る空気制御システム、空気制御方法及び空気制御装置について、図面を用いて詳細に説明する。なお、以下に説明する実施の形態は、いずれも本発明の好ましい一具体例を示すものである。従って、以下の実施の形態で示される数値、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態１）
以下、実施の形態１について、図１から図４を用いて説明する。
【００１４】
［空気制御システムの構成］
図１は、実施の形態１に係る空気制御システム１の一例を示す構成図である。図１に示される各構成要素をつなぐ点線の矢印は、信号の経路を示す。
【００１５】
図２は、実施の形態１に係る空気制御システム１の設置例を示す図である。図２に示される点線の矢印は、信号の経路を示す。また、ハッチングを付した矢印は空気の流れを示す。なお、図２では、湿度検知部４０及び人検知部６０から制御部５０へ向かう信号の経路を省略している。空気制御システム１は、例えば、図２に示されるように、戸建てに設置される。なお、空気制御システム１は、集合住宅又はビル等に設置されてもよい。
【００１６】
空気制御システム１は、送風部１０、温度調整部２０、加湿部３０、湿度検知部４０、制御部５０、人検知部６０及び除湿部７０を備える。
【００１７】
送風部１０は、給気ダクト１２を介して複数の部屋１００間で空気を循環させる例えばファンである。送風部１０は、給気ダクト１２のダクト内に設けられ、例えば送風部１０が有するファンが回転することで各部屋１００の空気を循環させる。送風部１０は、例えば通信部（図示せず）を備え、後述する制御部５０により、複数の部屋１００間で循環させる空気の風量（送風部１０の循環風量）は制御される。なお、部屋１００は、例えば、１つの部屋をパーティション等で区切られた空間であってもよい。
【００１８】
温度調整部２０は、全館空調システムにおいて送風部１０が複数の部屋１００（本実施の形態では４つの部屋１００ａ〜１００ｄ）間で循環させる空気の温度を調整するための装置であり、例えばエアコンである。温度調整部２０は、例えば、空間１０２に設置され、空間１０２の空気の温度を調整する。温度調整部２０は、例えば通信部（図示せず）を備え、後述する制御部５０により、複数の部屋１００間で循環する空気の温度、電源のオン及びオフ、並びに、タイマー等が制御される。
【００１９】
加湿部３０は、全館空調システムにおいて送風部１０が複数の部屋１００間で循環させる空気を加湿するための装置である。加湿部３０は、例えば、空間１０２に設置され、空間１０２の空気を加湿する。加湿部は、例えば通信部（図示せず）を備え、後述する制御部５０により、複数の部屋１００間で循環する空気の加湿量、電源のオン及びオフ、並びに、タイマー等が制御される。
【００２０】
除湿部７０は、全館空調システムにおいて送風部１０が複数の部屋１００間で循環させる空気を除湿するための装置である。除湿部７０は、例えば、空間１０２に設置され、空間１０２の空気を除湿する。除湿部は、例えば通信部（図示せず）を備え、後述する制御部５０により、複数の部屋１００間で循環する空気の除湿量、電源のオン及びオフ、並びに、タイマー等が制御される。
【００２１】
湿度検知部４０は、複数の部屋１００それぞれの湿度（相対湿度）を検知する例えばセンサである。湿度検知部４０は、例えば複数の部屋１００毎に設置される。つまり、部屋１００ａに設置された湿度検知部４０は、部屋１００ａの湿度を検知し、同様に、部屋１００ｂ〜１００ｄに設置された湿度検知部４０は、それぞれ部屋１００ｂ〜１００ｄの湿度を検知する。湿度検知部４０は、例えば通信部（図示せず）を備え、湿度検知部４０が検知した湿度情報を後述する制御部５０に通知する。なお、湿度検知部４０は、複数の部屋１００毎に設置されなくてもよく、例えば、ユーザに持ち運ばれることで１つの湿度検知部４０によって複数の部屋１００それぞれの湿度を検知してもよい。
【００２２】
人検知部６０は、複数の部屋１００のそれぞれにおける人の在及び不在を検知する例えばセンサである。人検知部６０は、例えば複数の部屋１００毎に設置される。つまり、部屋１００ａに設置された人検知部６０は、部屋１００ａの人の在及び不在を検知し、同様に、部屋１００ｂ〜１００ｄに設置された人検知部６０は、それぞれ部屋１００ｂ〜１００ｄの人の在及び不在を検知する。人検知部６０は例えば通信部（図示せず）を備え、人検知部６０が検知した人の在・不在を示す情報を後述する制御部５０に通知する。なお、実施の形態１では、空気制御システム１は、人検知部６０を備えていなくてもよい。人検知部６０は、後述する実施の形態１の変形例において使用される。
【００２３】
制御部５０は、湿度検知部４０が検知した複数の部屋１００の湿度に応じて、送風部１０の循環風量及び加湿部３０の加湿量の少なくとも一方を制御して複数の部屋１００の湿度を調整する。制御部５０は、湿度検知部４０が検知した湿度を示す情報（湿度情報）を取得する。また、制御部５０は、送風部１０、温度調整部２０、加湿部３０及び除湿部７０の稼働状態を制御する。制御部５０は、例えば、湿度検知部４０が検知した湿度情報を取得する取得部（図示せず）を備える。また、制御部５０は、例えば、取得部が取得した湿度情報に応じて送風部１０、加湿部３０及び除湿部７０の稼働状態を制御する稼働制御部（図示せず）を備える。制御部５０は、例えば、送風部１０、温度調整部２０、加湿部３０及び除湿部７０の稼働状態を制御するためのコントローラ、リモコン、ＰＣ等の装置（空気制御装置）に備えられ、マイクロコンピュータ又は専用回路等によって実現される。なお、制御部５０は、送風部１０、温度調整部２０、加湿部３０又は除湿部７０等に備えられてもよい。制御部５０の動作については、後述する図４で詳細に説明する。
【００２４】
温度調整部２０、加湿部３０及び除湿部７０によって温度及び湿度が調整された空間１０２の空気は吸気口１４へ吸い込まれる。吸気口１４へ吸い込まれた空気は、送風部１０を有する給気ダクト１２を介して給気口１６から部屋１００ａ〜１００ｄへ送り出される。給気ダクト１２は、部屋１００の外観を損なうことがあるため、例えばその大部分が天井裏１１０等に設置される。図２には、給気ダクト１２の一部が部屋１００ａを経由して設置されているが、例えば戸建て等の外に設置されてもよい。複数の部屋１００へ送り出された空気は、複数の部屋１００の隙間１０４から複数の部屋１００間をつなぐ空間１０６へ移動し、最終的に空間１０２へ戻ってくる。隙間１０４は、例えば、部屋１００のドアに設けられたアンダーカット等の隙間である。空間１０６は、廊下又は吹き抜け等である。
【００２５】
このように、全館空調システムでは、複数の部屋１００が快適な状態となるように、複数の部屋１００を温度調整部２０、加湿部３０及び除湿部７０で温度及び湿度が調整された空気が循環する。
【００２６】
一般的に、湿度には適正な湿度の範囲（適正範囲）と適正範囲を超えているが許容できる範囲（許容範囲）とがある。ここで、適正範囲及び許容範囲について図３を用いて説明する。
【００２７】
［湿度の適正範囲及び許容範囲］
図３は、湿度の適正範囲及び許容範囲の一例を示す図である。ここで、適正範囲を第１範囲、許容範囲を第２範囲と呼ぶ。
【００２８】
図３に示されるように、第１範囲の上限をＲＨ２とし、下限をＲＨ３とする。第１範囲の上限であるＲＨ２は、例えば６０％ＲＨ等であり、第１範囲の下限であるＲＨ３は、例えば４０％ＲＨ等である。一方、第２範囲の上限をＲＨ１とし、下限をＲＨ４とする。第２範囲は、第１範囲を含み第１範囲よりも範囲が広く、第２範囲の上限であるＲＨ１は、例えば８０％ＲＨ等であり、第２範囲の下限であるＲＨ４は、例えば３０％ＲＨ等である。
【００２９】
湿度が第１範囲の上限を超え始めると、カビ、ダニ等が発生しやすくなり、また、結露が発生しやすくなる。しかし、ここでは、第１範囲の上限から第２範囲の上限までは、人の健康状態や部屋１００の床、壁、天井等に悪影響を与える恐れが少ないとして、第２範囲の上限までを許容範囲としている。したがって、湿度が第２範囲の上限を超え始めると、人の健康状態や部屋１００の床、壁、天井等に悪影響を与える恐れがある。
【００３０】
一方、湿度が第１範囲の下限を下回り始めると、インフルエンザ等のウイルスの生存率が高まったり、人の肌、食品等を乾燥させたり、静電気が発生しやすくなり人を不快にさせたり電気機器を誤動作させたりする。しかし、ここでは、第１範囲の下限から第２範囲の下限までは、人、食品、電気機器等に悪影響を与える恐れが少ないとして、第２範囲の下限までを許容範囲としている。したがって、湿度が第２範囲の下限を下回り始めると、人、食品、電気機器等に悪影響を与える恐れがある。
【００３１】
制御部５０は、湿度検知部４０が検知した湿度が第１範囲を超えているか否か、また、第２範囲を超えているか否かに応じて、送風部１０、加湿部３０及び除湿部７０を制御する。第１範囲を示す情報及び第２範囲を示す情報は、例えば、空気制御システム１が備える記憶部（図示せず）に記憶される。制御部５０は、湿度検知部４０から取得した湿度情報と記憶部に記憶された第１範囲を示す情報及び第２範囲を示す情報とを比較することで、湿度検知部４０が検知した湿度が第１範囲を超えているか否か、また、第２範囲を超えているか否かを判定する。ここで、制御部５０の動作の詳細について、図４を用いて説明する。
【００３２】
［制御部の動作］
図４は、実施の形態１に係る制御部５０の動作の一例を示すフローチャートである。なお、図４には、湿度検知部４０の動作もステップＳ１１として示している。
【００３３】
まず、湿度検知部４０は、各部屋１００の湿度を検知する（ステップＳ１１）。湿度検知部４０は、検知した湿度を示す湿度情報を制御部５０に通知する。例えば、湿度検知部４０は、制御部５０に通知する湿度情報がどの部屋１００の湿度情報であるかも同時に通知するため、制御部５０は、部屋１００ａ〜１００ｄそれぞれの湿度を知ることができる。
【００３４】
次に、制御部５０は、所定の部屋における湿度が第１範囲の上限を上回っているか否かを判定する（ステップＳ１２）。ここで、所定の部屋とは、複数の部屋１００のうち、最もユーザが湿度を適正な状態にしたい、例えばユーザにとって重要な部屋である。例えばユーザが長時間過ごすリビングであったり、カビ、結露等により劣化させたくない部屋であったりする。例えば、図２に示される部屋１００ａ〜１００ｄのうち、部屋１００ａを所定の部屋とすると、制御部５０は、部屋１００ａに設置された湿度検知部４０が検知した湿度が第１範囲の上限を上回っているか否かを判定する。以降、所定の部屋を所定の部屋１００ａとも呼ぶ。なお、「湿度が第１範囲の上限を上回っている」とは、湿度が第１範囲の上限値である場合も含んでもよいとする。以下で記載する「湿度が第１範囲の下限を下回っている」、「湿度が第２範囲の上限を上回っている」、「湿度が第２範囲の下限を下回っている」についても、同様に、湿度が上限値又は下限値である場合を含んでもよいとする。
【００３５】
制御部５０が、所定の部屋１００ａにおける湿度が第１範囲の上限を上回っていないと判定した場合（ステップＳ１２でＮｏ）、制御部５０は、送風部１０の循環風量及び加湿部３０の加湿量を維持する（ステップＳ１３）。
【００３６】
一方、制御部５０が、所定の部屋１００ａにおける湿度が第１範囲の上限を上回っていると判定した場合（ステップＳ１２でＹｅｓ）、制御部５０は、所定の部屋１００ａ以外の少なくとも１つの部屋１００における湿度が第１範囲の下限を下回っているか否かを判定する（ステップＳ１４）。所定の部屋１００ａ以外の部屋１００は部屋１００ｂ〜１００ｄとなる。制御部５０は、部屋１００ｂ〜１００ｄに設置された湿度検知部４０が検知した湿度のうち少なくとも１つでも第１範囲の下限を下回っているものがあるか否かを判定する。
【００３７】
制御部５０が、所定の部屋１００ａ以外の少なくとも１つの部屋１００における湿度が第１範囲の下限を下回っていないと判定した場合（ステップＳ１４でＮｏ）、制御部５０は、送風部１０の循環風量を維持し、加湿部３０の加湿量を減らす（ステップＳ１５）。これにより、加湿部３０の加湿量が減ることで、所定の部屋１００ａの第１範囲の上限を上回っている湿度は下がりやすくなる。
【００３８】
一方、制御部５０が、所定の部屋１００ａ以外の少なくとも１つの部屋１００における湿度が第１範囲の下限を下回っていると判定した場合（ステップＳ１４でＹｅｓ）、制御部５０は、加湿部３０の加湿量を維持し、送風部１０の循環風量を増やす（ステップＳ１６）。これにより、複数の部屋１００間の空気がより循環するようになることで、複数の部屋１００それぞれの湿度が均等化される。したがって、所定の部屋１００ａの第１範囲の上限を上回っている湿度は下がりやすくなり、所定の部屋１００ａ以外の部屋１００の第１範囲の下限を下回っている湿度は上がりやすくなる。
【００３９】
そして、制御部５０は、所定の部屋１００ａにおける湿度が第２範囲の上限を上回っているか否かを判定する（ステップＳ１７）。ステップＳ１６での動作の後、所定の部屋１００ａの湿度がすぐに変化しないこともあるため、例えば所定の時間（例えば３０分等）後にステップＳ１７での判定が行われる。例えば、所定の部屋１００ａでユーザが調理をしている等の状況が考えられるため、送風部１０の循環風量が増えても、所定の部屋１００ａの湿度がさらに上昇し第２範囲の上限を上回ることがある。また、始めから（ステップＳ１２から）所定の部屋１００ａにおける湿度が第２範囲の上限を上回っており、送風部１０の循環風量が増えても、所定の部屋１００ａの湿度があまり下がらずに第２範囲の上限を上回っていることがある。
【００４０】
制御部５０が、所定の部屋１００ａにおける湿度が第２範囲の上限を上回っていると判定した場合（ステップＳ１７でＹｅｓ）、制御部５０は、加湿部３０の加湿量を減らす（ステップＳ１８）。これにより、加湿部３０の加湿量が減ることで、所定の部屋１００ａの第２範囲の上限を上回っている湿度は下がりやすくなる。
【００４１】
一方、制御部５０が、所定の部屋１００ａにおける湿度が第２範囲の上限を上回っていないと判定した場合（ステップＳ１７でＮｏ）、制御部５０は、加湿部３０の加湿量を維持する（ステップＳ１９）。
【００４２】
ステップＳ１５での動作の後、所定の部屋１００ａでユーザが調理をしている等の状況が考えられるため、加湿部３０の加湿量が減っても、所定の部屋１００ａの湿度がさらに上昇し第２範囲の上限を上回ることがある。また、始めから（ステップＳ１２から）所定の部屋１００ａにおける湿度が第２範囲の上限を上回っており、加湿部３０の加湿量が減っても、所定の部屋１００ａの湿度が第２範囲の上限を上回っていることがある。同様に、ステップＳ１８での動作の後も所定の部屋１００ａの湿度が第２範囲の上限を上回っていることがある。
【００４３】
そこで、制御部５０は、ステップＳ１５又はステップＳ１８で加湿部３０の加湿量を減らした後、所定の部屋１００ａにおける湿度が第２範囲の上限を上回っているか否かを判定する（ステップＳ２０）。ステップＳ１５又はステップＳ１８での動作の後、所定の部屋１００ａの湿度がすぐに変化しないこともあるため、例えば所定の時間（例えば３０分等）後にステップＳ２０での判定が行われる。
【００４４】
制御部５０が、所定の部屋１００ａにおける湿度が第２範囲の上限を上回っていると判定した場合（ステップＳ２０でＹｅｓ）、制御部５０は、除湿部７０に除湿させる（ステップＳ２１）。これにより、所定の部屋１００ａの湿度は強制的に下げられる。
【００４５】
このように、制御部５０は、湿度検知部４０が検知した湿度が第１範囲を超えているか否か、また、第２範囲を超えているか否かに応じて、送風部１０、加湿部３０及び除湿部７０を制御する。
【００４６】
［効果等］
各部屋に設置された温度検知部が検知する温度情報に基づいて複数の部屋間を循環する循環風量を制御することで各部屋の涼しさ又は暖かさが調整される場合、部屋の湿度が極端に湿潤状態になったり、乾燥状態になったりする。
【００４７】
そこで、本実施の形態に係る空気制御システム１は、給気ダクト１２を介して複数の部屋１００間で空気を循環させる送風部１０と、送風部１０が循環させる空気を加湿するための加湿部３０と、複数の部屋１００それぞれの湿度を検知する湿度検知部４０と、を備える。また、空気制御システム１は、湿度検知部４０が検知した複数の部屋１００の湿度に応じて、送風部１０の循環風量及び加湿部３０の加湿量の少なくとも一方を制御して複数の部屋１００の湿度を調整する制御部５０を備える。
【００４８】
また、本実施の形態に係る空気制御方法は、給気ダクト１２を介して複数の部屋１００間で空気を循環させる送風部１０と、送風部１０が循環させる空気を加湿するための加湿部３０と、複数の部屋１００それぞれの湿度を検知する湿度検知部４０と、を備える空気制御システム１の動作を制御する空気制御方法である。空気制御方法では、湿度検知部４０が検知した複数の部屋１００の湿度に応じて、送風部１０の循環風量及び加湿部３０の加湿量の少なくとも一方を制御して複数の部屋１００の湿度を調整する。
【００４９】
また、本実施の形態に係る空気制御装置は、給気ダクト１２を介して複数の部屋１００間で空気を循環させる送風部１０と、送風部１０が循環させる空気を加湿するための加湿部３０と、を制御する空気制御装置である。空気制御装置は、複数の部屋１００それぞれの湿度を検知する湿度検知部４０が検知した湿度に応じて、送風部１０の循環風量及び加湿部３０の加湿量の少なくとも一方を制御して複数の部屋１００の湿度を調整する制御部５０を備える。
【００５０】
これにより、全館空調システムにおいて複数の部屋１００の湿度を、送風部１０の循環風量及び加湿部３０の加湿量の少なくとも一方を制御することで、例えば適正な湿度の範囲内の湿度にする、又は、適正な湿度の範囲内の湿度に近づけることができる。したがって、全館空調システムにおいて部屋１００が湿潤又は乾燥状態になることを抑制できる。
【００５１】
また、制御部５０は、所定の部屋１００ａにおける湿度が第１範囲の上限を上回った場合に、複数の部屋１００のうちの所定の部屋１００ａ以外の少なくとも１つの部屋１００における湿度が第１範囲の下限を下回っているとき、循環風量を増やす。また、制御部５０は、所定の部屋１００ａにおける湿度が第１範囲の上限を上回った場合に、複数の部屋１００のうちの所定の部屋１００ａ以外の部屋１００における湿度が第１範囲の下限を下回っていないとき、加湿量を減らす。
【００５２】
これにより、複数の部屋１００のうちの所定の部屋１００ａ以外の少なくとも１つの部屋１００における湿度が第１範囲の下限を下回っている場合、送風部１０の循環風量を増やすことで、湿度が第１範囲の上限を上回っている所定の部屋１００ａの湿度と、湿度が第１範囲の下限を下回っている部屋１００の湿度とを均等化することができる。したがって、全館空調システムにおいて所定の部屋１００ａが湿潤状態になることを抑制でき、さらに、複数の部屋１００のうちの所定の部屋１００ａ以外の、湿度が第１範囲の下限を下回っている部屋１００が乾燥状態になることを抑制できる。
【００５３】
また、制御部５０は、所定の部屋１００ａにおける湿度が第１範囲の上限を上回った場合に循環風量を増やした後、所定の部屋１００ａにおける湿度が第１範囲を含み第１範囲よりも範囲が広い第２範囲の上限を上回っている場合、加湿量を減らす。
【００５４】
これにより、所定の部屋１００ａの湿度と、湿度が第１範囲の下限を下回っている部屋１００の湿度とを均等化しても所定の部屋１００ａの湿度が許容可能な湿度の範囲である第２範囲内に下がらない場合でも、加湿部３０の加湿量を下げることで、所定の部屋１００ａの湿度を下げることができる。したがって、全館空調システムにおいて部屋１００（所定の部屋１００ａ）が湿潤状態になることを抑制できる。
【００５５】
また、空気制御システム１は、さらに、送風部１０が循環させる空気を除湿するための除湿部７０を備える。制御部５０は、加湿量を減らした後、所定の部屋１００ａにおける湿度が第１範囲を含み第１範囲よりも範囲が広い第２範囲の上限を上回っている場合、除湿部７０に除湿させる。
【００５６】
これにより、加湿部３０の加湿量を下げても、所定の部屋１００ａの湿度が第２範囲内に下がらない場合でも、除湿部７０が除湿することで、所定の部屋１００ａの湿度を下げることができる。したがって、全館空調システムにおいて部屋１００（所定の部屋１００ａ）が湿潤状態になることを抑制できる。
【００５７】
（実施の形態１の変形例）
次に、実施の形態１の変形例に係る空気制御システム１について、図５を用いて説明する。実施の形態１では、制御部５０（取得部）は、湿度検知部４０が検知した湿度情報を取得したが、実施の形態１の変形例では、制御部５０（取得部）は、湿度検知部４０が検知した湿度情報及び人検知部６０が検知した人の在及び不在を示す情報を取得する。また、実施の形態１では、制御部５０（稼働制御部）は、取得部が取得した湿度情報に応じて送風部１０、加湿部３０及び除湿部７０の稼働状態を制御したが、実施の形態１の変形例では、制御部５０（稼働制御部）は、取得部が取得した湿度情報並びに人の在及び不在を示す情報に応じて送風部１０、加湿部３０及び除湿部７０の稼働状態を制御する。その他の点は、実施の形態１におけるものと同様であるため詳細な説明を省略し、以下、実施の形態１と異なる点を中心に説明する。
【００５８】
図５は、実施の形態１の変形例に係る制御部５０の動作の一例を示すフローチャートである。
【００５９】
図５に示されるフローチャートは、図４に示されるフローチャートのステップＳ１４がステップＳ２４となったものである。その他のステップは図４で説明したものと同じであるため、説明は省略する。
【００６０】
制御部５０が、所定の部屋１００ａにおける湿度が第１範囲の上限を上回っていると判定した場合（ステップＳ１２でＹｅｓ）、制御部５０は、所定の部屋１００ａ以外の少なくとも１つの部屋１００で人を検知し、かつ、当該部屋１００における湿度が第１範囲の下限を下回っているか否かを判定する（ステップＳ２４）。所定の部屋１００ａ以外の部屋１００は部屋１００ｂ〜１００ｄとなる。制御部５０は、部屋１００ｂ〜１００ｄに設置された人検知部６０が人を検知しているか否かを判定する。そして、制御部５０が、例えば、部屋１００ｂの人検知部６０が人を検知していると判定した場合、部屋１００ｂに設置された湿度検知部４０が検知した湿度が第１範囲の下限を下回っているか否かを判定する。
【００６１】
複数の部屋１００のうちの所定の部屋１００ａ以外の部屋１００で人検知部６０が人を検知していない場合（ステップＳ２４でＮｏ）、制御部５０は、送風部１０の循環風量を維持し、加湿部３０の加湿量を減らす（ステップＳ１５）。
【００６２】
一方、複数の部屋１００のうちの所定の部屋１００ａ以外の少なくとも１つの部屋１００で人検知部６０が人を検知し、かつ、人検知部６０が人を検知した部屋１００における湿度が第１範囲の下限を下回っている場合（ステップＳ２４でＹｅｓ）、制御部５０は、加湿部３０の加湿量を維持し、送風部１０の循環風量を増やす（ステップＳ１６）。
【００６３】
このように、空気制御システム１は、さらに、複数の部屋１００それぞれにおける人の在及び不在を検知する人検知部６０を備える。制御部５０は、複数の部屋１００のうちの所定の部屋１００ａ以外の少なくとも１つの部屋１００で人検知部６０が人を検知し、かつ、人が検知された部屋１００における湿度が第１範囲の下限を下回っている場合、循環風量を増やす。また、制御部５０は、複数の部屋１００のうちの所定の部屋１００ａ以外の部屋１００で人検知部６０が人を検知していない場合、加湿量を減らす。
【００６４】
これにより、複数の部屋１００のうちの所定の部屋１００ａ以外の少なくとも１つの部屋１００に人が居て、かつ、人が居る当該部屋１００における湿度が第１範囲の下限を下回っている場合、送風部１０の循環風量を増やすことで、湿度が第１範囲の上限を上回っている所定の部屋１００ａの湿度と、人が居て、かつ、湿度が第１範囲の下限を下回っている部屋１００の湿度とを均等化することができる。したがって、全館空調システムにおいて所定の部屋１００ａが湿潤状態になることを抑制でき、さらに、複数の部屋１００のうちの所定の部屋１００ａ以外の、人が居て、かつ、湿度が第１範囲の下限を下回っている部屋１００が乾燥状態になることを抑制できる。また、複数の部屋１００のうちの所定の部屋１００ａ以外の部屋１００に人が居ない場合、所定の部屋１００ａ以外の部屋１００については、送風部１０の循環風量を増やすことで湿度が制御されないため、送風部１０に掛かるエネルギーを抑制できる。
【００６５】
（実施の形態２）
次に、実施の形態２に係る空気制御システム１について、図６を用いて説明する。実施の形態１では、所定の部屋１００ａが第１範囲の上限を上回っているときの制御部５０の動作について説明したが、実施の形態２では、所定の部屋１００ａが第１範囲の下限を下回っているときの制御部５０の動作について説明する。実施の形態１と実施の形態２とで空気制御システム１が備える構成要素は同じであるため、各構成要素の説明については省略し、以下、実施の形態１と異なる点を中心に説明する。
【００６６】
図６は、実施の形態２に係る制御部５０の動作の一例を示すフローチャートである。なお、図６には、湿度検知部４０の動作もステップＳ３１として示している。
【００６７】
まず、湿度検知部４０は、各部屋１００の湿度を検知する（ステップＳ３１）。ステップＳ３１での動作は、ステップＳ１１での動作と同じであるため説明は省略する。
【００６８】
次に、制御部５０は、所定の部屋１００ａにおける湿度が第１範囲の下限を下回っているか否かを判定する（ステップＳ３２）。制御部５０は、部屋１００ａに設置された湿度検知部４０が検知した湿度が第１範囲の下限を下回っているか否かを判定する。
【００６９】
制御部５０が、所定の部屋１００ａにおける湿度が第１範囲の下限を下回っていないと判定した場合（ステップＳ３２でＮｏ）、制御部５０は、送風部１０の循環風量及び加湿部３０の加湿量を維持する（ステップＳ３３）。
【００７０】
一方、制御部５０が、所定の部屋１００ａにおける湿度が第１範囲の下限を下回っていると判定した場合（ステップＳ３２でＹｅｓ）、制御部５０は、所定の部屋１００ａ以外の少なくとも１つの部屋１００における湿度が第１範囲の上限を上回っているか否かを判定する（ステップＳ３４）。所定の部屋１００ａ以外の部屋１００は部屋１００ｂ〜１００ｄとなる。制御部５０は、部屋１００ｂ〜１００ｄに設置された湿度検知部４０が検知した湿度のうち少なくとも１つでも第１範囲の上限を上回っているものがあるか否かを判定する。
【００７１】
制御部５０が、所定の部屋１００ａ以外の少なくとも１つの部屋１００における湿度が第１範囲の上限を上回っていないと判定した場合（ステップＳ３４でＮｏ）、制御部５０は、送風部１０の循環風量を維持し、加湿部３０の加湿量を増やす（ステップＳ３５）。これにより、加湿部３０の加湿量が増えることで、所定の部屋１００ａの第１範囲の下限を下回っている湿度は上がりやすくなる。
【００７２】
一方、制御部５０が、所定の部屋１００ａ以外の少なくとも１つの部屋１００における湿度が第１範囲の上限を上回っていると判定した場合（ステップＳ３４でＹｅｓ）、制御部５０は、加湿部３０の加湿量を維持し、送風部１０の循環風量を増やす（ステップＳ３６）。これにより、複数の部屋１００の空気がより循環するようになることで、複数の部屋１００それぞれの湿度が均等化される。したがって、所定の部屋１００ａの第１範囲の下限を下回っている湿度は上がりやすくなり、所定の部屋１００ａ以外の部屋１００の第１範囲の上限を上回っている湿度は下がりやすくなる。
【００７３】
そして、制御部５０は、所定の部屋１００ａにおける湿度が第２範囲の下限を下回っているか否かを判定する（ステップＳ３７）。ステップＳ３６での動作の後、所定の部屋１００ａの湿度がすぐに変化しないこともあるため、例えば所定の時間（例えば３０分等）後にステップＳ３７での判定が行われる。例えば、加湿部３０の加湿量が少ない又は所定の部屋１００ａの温度が高い等の状況が考えられるため、送風部１０の循環風量が増えても、所定の部屋１００ａの湿度がさらに下がり第２範囲の下限を下回ることがある。また、始めから（ステップＳ３２から）所定の部屋１００ａにおける湿度が第２範囲の下限を下回っており、送風部１０の循環風量が増えても、所定の部屋１００ａの湿度があまり上がらずに第２範囲の下限を下回っていることがある。
【００７４】
制御部５０が、所定の部屋１００ａにおける湿度が第２範囲の下限を下回っていると判定した場合（ステップＳ３７でＹｅｓ）、制御部５０は、加湿部３０の加湿量を増やす（ステップＳ３８）。これにより、加湿部３０の加湿量が増えることで、所定の部屋１００ａの第２範囲の下限を下回っている湿度は上がりやすくなる。
【００７５】
一方、制御部５０が、所定の部屋１００ａにおける湿度が第２範囲の下限を下回っていないと判定した場合（ステップＳ３７でＮｏ）、制御部５０は、加湿部３０の加湿量を維持する（ステップＳ３９）。
【００７６】
このように、制御部５０は、所定の部屋１００ａにおける湿度が第１範囲の下限を下回った場合に、複数の部屋１００のうちの所定の部屋１００ａ以外の少なくとも１つの部屋１００における湿度が第１範囲の上限を上回っているとき、循環風量を増やす。また、制御部５０は、所定の部屋１００ａにおける湿度が第１範囲の下限を下回った場合に、複数の部屋１００のうちの所定の部屋１００ａ以外の部屋１００における湿度が第１範囲の上限を上回っていないとき、加湿量を増やす。
【００７７】
これにより、複数の部屋１００のうちの所定の部屋１００ａ以外の少なくとも１つの部屋１００における湿度が第１範囲の上限を上回っている場合、送風部１０の循環風量を増やすことで、湿度が第１範囲の下限を下回っている所定の部屋１００ａの湿度と、湿度が第１範囲の上限を上回っている部屋１００の湿度とを均等化することができる。したがって、全館空調システムにおいて所定の部屋１００ａが乾燥状態になることを抑制でき、さらに、複数の部屋１００のうちの所定の部屋１００ａ以外の、湿度が第１範囲の上限を上回っている部屋１００が湿潤状態になることを抑制できる。
【００７８】
また、制御部５０は、所定の部屋１００ａにおける湿度が第１範囲の下限を下回った場合に循環風量を増やした後、所定の部屋１００ａにおける湿度が第１範囲を含み第１範囲よりも範囲が広い第２範囲の下限を下回っているとき、加湿量を増やす。
【００７９】
これにより、所定の部屋１００ａの湿度と、湿度が第１範囲の上限を上回っている部屋１００の湿度とを均等化しても所定の部屋１００ａの湿度が許容可能な湿度の範囲である第２範囲内に上がらない場合でも、加湿部３０の加湿量を上げることで、所定の部屋１００ａの湿度を上げることができる。したがって、全館空調システムにおいて部屋１００（所定の部屋１００ａ）が乾燥状態になることを抑制できる。
【００８０】
（実施の形態２の変形例）
次に、実施の形態２の変形例に係る空気制御システム１について、図７を用いて説明する。実施の形態２では、制御部５０（取得部）は、湿度検知部４０が検知した湿度情報を取得したが、実施の形態２の変形例では、制御部５０（取得部）は、湿度検知部４０が検知した湿度情報及び人検知部６０が検知した人の在及び不在を示す情報を取得する。また、実施の形態２では、制御部５０（稼働制御部）は、取得部が取得した湿度情報に応じて送風部１０及び加湿部３０の稼働状態を制御したが、実施の形態２の変形例では、制御部５０（稼働制御部）は、取得部が取得した湿度情報並びに人の在及び不在を示す情報に応じて送風部１０及び加湿部３０の稼働状態を制御する。その他の点は、実施の形態２におけるものと同様であるため詳細な説明を省略し、以下、実施の形態２と異なる点を中心に説明する。
【００８１】
図７は、実施の形態２の変形例に係る制御部５０の動作の一例を示すフローチャートである。
【００８２】
図７に示されるフローチャートは、図６に示されるフローチャートのステップＳ３４がステップＳ４４となったものである。その他のステップは図６で説明したものと同じであるため、説明は省略する。
【００８３】
制御部５０が、所定の部屋１００ａにおける湿度が第１範囲の下限を下回っていると判定した場合（ステップＳ３２でＹｅｓ）、制御部５０は、所定の部屋１００ａ以外の少なくとも１つの部屋１００で人を検知し、かつ、当該部屋１００における湿度が第１範囲の上限を上回っているか否かを判定する（ステップＳ４４）。所定の部屋１００ａ以外の部屋１００は部屋１００ｂ〜１００ｄとなる。制御部５０は、部屋１００ｂ〜１００ｄに設置された人検知部６０が人を検知しているか否かを判定する。そして、制御部５０が、例えば、部屋１００ｂの人検知部６０が人を検知していると判定した場合、部屋１００ｂに設置された湿度検知部４０が検知した湿度が第１範囲の上限を上回っているか否かを判定する。
【００８４】
複数の部屋１００のうちの所定の部屋１００ａ以外の部屋１００で人検知部６０が人を検知していない場合（ステップＳ４４でＮｏ）、制御部５０は、送風部１０の循環風量を維持し、加湿部３０の加湿量を増やす（ステップＳ３５）。
【００８５】
一方、複数の部屋１００のうちの所定の部屋１００ａ以外の少なくとも１つの部屋１００で人検知部６０が人を検知し、かつ、人検知部６０が人を検知した部屋１００における湿度が第１範囲の上限を上回っている場合（ステップＳ４４でＹｅｓ）、制御部５０は、加湿部３０の加湿量を維持し、送風部１０の循環風量を増やす（ステップＳ３６）。
【００８６】
このように、空気制御システム１は、さらに、複数の部屋１００のそれぞれにおける人の在及び不在を検知する人検知部６０を備える。制御部５０は、複数の部屋１００のうちの所定の部屋１００ａ以外の少なくとも１つの部屋１００で人検知部６０が人を検知し、かつ、人が検知された部屋１００における湿度が第１範囲の上限を上回っている場合、循環風量を増やす。また、制御部５０は、複数の部屋１００のうちの所定の部屋１００ａ以外の部屋１００で人検知部６０が人を検知していない場合、加湿量を増やす。
【００８７】
これにより、複数の部屋１００のうちの所定の部屋１００ａ以外の少なくとも１つの部屋１００に人が居て、かつ、人が居る当該部屋１００における湿度が第１範囲の上限を上回っている場合、送風部１０の循環風量を増やすことで、湿度が第１範囲の下限を下回っている所定の部屋１００ａの湿度と、人が居て、かつ、湿度が第１範囲の上限を上回っている部屋１００の湿度とを均等化することができる。したがって、全館空調システムにおいて所定の部屋１００ａが乾燥状態になることを抑制でき、さらに、複数の部屋１００のうちの所定の部屋１００ａ以外の、人が居て、かつ、湿度が第１範囲の上限を上回っている部屋１００が湿潤状態になることを抑制できる。また、複数の部屋１００のうちの所定の部屋１００ａ以外の部屋１００に人が居ない場合、所定の部屋１００ａ以外の部屋１００については、送風部１０の循環風量を増やすことで湿度が制御されないため、送風部１０に掛かるエネルギーを抑制できる。
【００８８】
（その他の実施の形態）
以上、実施の形態に係る空気制御システム１、空気制御方法及び空気制御装置について説明したが、本発明は、上記実施の形態に限定されるものではない。
【００８９】
例えば、上記実施の形態では、図２に示されるように、複数の部屋１００は、４つの部屋１００ａ〜１００ｄであったが、これに限らない。例えば、複数の部屋１００は、所定の部屋１００ａを含む少なくとも２つの部屋であってもよい。また、複数の部屋１００は、例えば、戸建て等が有する少なくとも３つ以上の部屋のうちの所定の部屋１００ａを含む少なくとも２つの部屋であってもよい。つまり、戸建て等が有する全ての部屋に本発明が適用されなくてもよく、戸建て等が有する部屋のうちの一部の部屋に適用されてもよい。
【００９０】
また、例えば、上記実施の形態では、空間１０２に温度調整部２０、加湿部３０及び除湿部７０が設置され、空間１０２の空気の温度及び湿度が調整されたが、これに限らない。例えば、温度調整部２０、加湿部３０及び除湿部７０は、一体に構成されてもよい。この場合、一体に構成された温度調整部２０、加湿部３０及び除湿部７０の装置内において、当該装置に吸い込まれた空気の温度及び湿度が調整され、温度及び湿度が調整された空気が、給気ダクト１２に送りこまれてもよい。つまり、図２に示される温度調整部２０、加湿部３０、除湿部７０及び空間１０２が一体に構成された装置（例えば、図２に示される空間１０２に設けられた隙間１０４が空気の入り口になり、吸気口１４が空気の出口となるような装置）によって、給気ダクト１２に流入する空気の温度及び湿度が調整されてもよい。また、例えば、加湿部３０及び除湿部７０は、別体でなくてもよく、加湿機能と除湿機能とを切り替えて動作する装置であってもよい。
【００９１】
また、例えば、上記実施の形態では、空気制御システム１は、温度調整部２０を備えたが、温度調整部２０を備えていなくてもよい。
【００９２】
また、例えば、上記実施の形態では、空気制御システム１は、除湿部７０を備えたが、実施の形態１及び実施の形態２では、除湿部７０を備えていなくてもよい。
【００９３】
また、例えば、上記実施の形態では、制御部５０は、送風部１０の循環風量及び加湿部３０の加湿量の少なくとも一方を制御したが、例えば、これらの制御後に、所定の部屋１００ａの湿度が適正範囲（第１範囲）になった場合、元々設定されていた循環風量及び加湿量に戻してもよい。
【００９４】
また、例えば、上記実施の形態では、図２に示されるように所定の部屋１００ａにも人検知部６０が設置されたが、これに限らない。例えば、所定の部屋１００ａは、ユーザにとって、人が居ないときでも湿度を制御したい部屋である場合もある。したがって、所定の部屋１００ａには人検知部６０が設置されなくてもよく、人の在及び不在に関わらず、湿度が制御される。
【００９５】
なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００９６】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９７】
１  空気制御システム
１０  送風部
１２  給気ダクト
３０  加湿部
４０  湿度検知部
５０  制御部
６０  人検知部
７０  除湿部
１００、１００ａ〜１００ｄ  部屋
【図１】
2017101861.tif 000003
【図２】
2017101861.tif 000004
【図３】
2017101861.tif 000005
【図４】
2017101861.tif 000006
【図５】
2017101861.tif 000007
【図６】
2017101861.tif 000008
【図７】
2017101861.tif 000009